(57)【特許請求の範囲】
【請求項１】
ケーブルに連結されたガイド用のコードを一方側から導入して他方側へ繰り出す繰り出し装置において、
前記コードが掛けられる複数のリールと、
前記各リールを回転させる駆動モータと、
前記駆動モータの回転速度を制御する制御部と、を備えており、
前記各リールは、軸方向中央部の直径が最も小さく、そこから軸方向両側部に向かうに従って直径が大きくなるように形成されることで、前記コードを巻き掛けることができるように構成されており、
前記複数のリールは、一方から導入され当該各リールに順次巻き掛けられた前記コードを、当該各リールの回転力で他方へ繰り出すように、当該コードの移送方向に沿って一列に配置されていることを特徴とする繰り出し装置。
【請求項２】
前記複数のリールは、三つの個別リールよりなる請求項１に記載の繰り出し装置。
【請求項３】
前記駆動モータは、前記各リールに対応する複数の個別モータよりなり、前記制御部は、当該複数の個別モータを一括して制御するように構成されている請求項１又は２に記載の繰り出し装置。
【請求項４】
前記複数のリールを覆うカバー部材が設けられている請求項１〜３のいずれかに記載の繰り出し装置。
【発明の詳細な説明】
【技術分野】
【０００１】
本発明は、コードを一方側から他方側へ繰り出すための繰り出し装置に関し、特に地下管路に通されたコードを地上で引き出すための繰り出し装置に関する。
【背景技術】
【０００２】
近年、市街地や工場内のケーブル等は、美観上、安全上の見地から、地下に設けられた地下管路に布設することが多くなっている。地下管路へのケーブルの布設工事として、地下管路に予め通しておいたガイド用のコードの一端に、地下管路の一方のマンホール開口部の近くに置かれたケーブルの一端を連結し、他方のマンホール開口部から当該コードの他端を引き出していくということが行われている。
【０００３】
このような工事では、コードの他端を例えばトラックに連結し、当該トラックを走らせることで当該コードを地上に引き出すことが行われていた。しかし、この場合、コードの引き出し速度の調整がし難く、一方のマンホール開口の近くに置かれたケーブルの引き入れ速度の微妙な調整が困難であった。
【０００４】
そこで、特許文献１では、市販されている無段型の電気ドリルを駆動装置としたコード巻き取り装置を用いて上記コードを引き出すことで、ケーブルの引き入れ速度の微妙な調整を可能としている。
【特許文献１】特公平７−５７０５５号公報
【発明の開示】
【発明が解決しようとする課題】
【０００５】
しかしながら、上記コード巻き取り装置は、コードを巻き取るものであるため、巻き取り長さに限度がある。従って、地下管路に布設するケーブルが非常に長くなった場合には、大型のコード巻き取り装置を使用しなければならず、ケーブルの長さに応じて複数のコード巻き取り装置を使い分ける必要がある。そのため、複数のコード巻き取り装置を製作する費用を要し、保管しておく場所も確保しなければならない。更に、コードを巻き取っていくに従って巻き取り径が大きくなり、引き出し速度が安定しないという問題もある。
【０００６】
本発明は、上記従来技術の問題点に鑑み、複数の装置を使い分ける必要がなく、且つ安定した速度でコードを引き出すことができる装置を提供することを目的とする。
【課題を解決するための手段】
【０００７】
上記目的を達成するため、本発明は次の技術的手段を講じた。
【０００８】
すなわち本発明の繰り出し装置は、ケーブルに連結されたガイド用のコードを一方側から導入して他方側へ繰り出す繰り出し装置において、前記コードが掛けられる複数のリールと、前記各リールを回転させる駆動モータと、前記駆動モータの回転速度を制御する制御部と、を備えており、前記各リールは、軸方向中央部の直径が最も小さく、そこから軸方向両側部に向かうに従って直径が大きくなるように形成されることで、前記コードを巻き掛けることができるように構成されており、前記複数のリールは、一方から導入され当該各リールに順次巻き掛けられた前記コードを、当該各リールの回転力で他方へ繰り出すように、当該コードの移送方向に沿って一列に配置されていることを特徴とする。
【０００９】
上記本発明の繰り出し装置によれば、一列に配置された複数のリールによって一方から導入されたコードが当該各リールの回転力で他方へ繰り出されるので、いかに長いコードでも引いていくことができる。従って、地下管路に布設するためのケーブルの長さに応じて、複数の装置を使い分ける必要がない。また、上記繰り出し装置は、コードを一方側から他方側へ繰り出していくものであるため、巻き取り径が大きくなるということがなく、引き出し速度を安定させることができる。更に、複数のリールがコードの移送方向に沿って一列に配置されているので、繰り出していく際にコードが一方側に引っ張られた場合でも、当該コードの引き戻しを防止することができる。
【００１０】
また、前記複数のリールは、例えば三つの個別リールよりなるものとすることができる。
【００１１】
また、前記駆動モータは、前記各リールに対応する複数の個別モータよりなり、前記制御部は、当該複数の個別モータを一括して制御するように構成されていることが好ましい。
【００１２】
この場合、複数の個別モータが同時に駆動させられ、単一の操作により複数のリールを互いに連携させて回転させることができる。
【００１３】
更に、前記複数のリールを覆うカバー部材を設ければ、複数のリールが回転している際に、誤って作業者がリールに触れてしまうことが防止され、安全性を向上させることができる。
【発明の効果】
【００１４】
上記の通り、本発明によれば、いかに長いコードで引いていくことができるので、複数の装置を使い分ける必要がない。また、コードを一方側から他方側へ繰り出していくものであり、巻き取り径が変わるということがないため、引き出し速度を安定させることができる。
【発明を実施するための最良の形態】
【００１５】
以下、本発明の実施の形態について図面を参照しながら説明する。図１は、本発明に係る繰り出し装置の一実施形態を示す斜視図である。この繰り出し装置１は、ガイド用のコード２が巻き掛けられるリール３と、このリール３を回転させるための個別モータ（駆動モータ）４と、この個別モータ４に対応して設けられた制御部５とを備えている。上記リール３は、第１、第２、及び第３の三つのリール（個別リール）３Ａ〜３Ｃで構成され、上記個別モータ４は、第１、第２、及び第３の三つのリール３Ａ〜３Ｃに対応して設けられた第１、第２、及び第３の三つの個別モータ４Ａ〜４Ｃで構成され、上記制御部５は、第１、第２、及び第３の三つの個別モータ４Ａ〜４Ｃに対応して設けられた第１、第２、及び第３の三つの制御部５Ａ〜５Ｃで構成されている。以下の説明において、図１における矢印Ａ側を前側、その反対側を後側、矢印Ｂ側を右側、その反対側を左側という。
【００１６】
地面に載置される基台６は、金属製で全体に横長直方体状の枠体から構成されており、この基台６上には筒体部７が固定されている。この筒体部７は、第１、第２、及び第３のリール３Ａ〜３Ｂに対応する第１、第２、及び第３の三つの筒体部７Ａ〜７Ｃで構成されている。
【００１７】
これら第１、第２、及び第３の筒体部７Ａ〜７Ｃの内部には、それぞれ図示しない伝達機構が設けられており、この各伝達機構は、対応する第１、第２、及び第３の個別モータ４Ａ〜４Ｃ、及び第１、第２、及び第３のリール３Ａ〜３Ｃに、図示しない駆動ベルトや駆動軸等を介して繋がっている。これにより、第１、第２、及び第３の個別モータ４Ａ〜４Ｃを駆動させると、第１、第２、及び第３のリール３Ａ〜３Ｃが回転するようになっている。
【００１８】
第１、第２、及び第３の制御部５Ａ〜５Ｃは、それぞれ対応する第１、第２、及び第３の筒体部７Ａ〜７Ｃの前側に配置されている。第１、第２、及び第３の制御部５Ａ〜５Ｃには、対応する第１、第２、及び第３の個別モータ４Ａ〜４Ｃのオン、オフを行うオンスイッチ９Ａ及びオフスイッチ９Ｂと、回転数を選択するための操作レバー８が設けられている。第１、第２、及び第３の制御部５Ａ〜５Ｃは、各操作レバー８を操作することで、第１、第２、及び第３の個別モータ４Ａ〜４Ｃの回転数を低速、中速、高速の三段階に切換可能となるように構成されている。これにより、第１、第２、及び第３のリール３Ａ〜３Ｃは、それぞれ対応する操作レバー８を操作することで、低速、中速、高速の三つの回転速度での切換が可能となっている。
【００１９】
第１〜第３のリール３Ａ〜３Ｃは、各回転軸を同じ高さ位置とした状態で前後方向に沿って一列に並んでいる。また、図２（ｂ）に示すように、当該リール３は、軸方向中央部の直径が最も小さく、そこから軸方向両端部に向かうに従って直径が大きくなるように形成されている。これにより、掛けられたガイド用のコード２が、周面に沿って中央部に寄せられるようになっている。
【００２０】
図２（ａ）にも示すように、第１〜第３のリール３Ａ〜３Ｃにはガイド用のコード２が巻き掛けられるようになっている。ガイド用のコード２は、最も前側（図２左側）の第１のリール３Ａの下側から入って当該第１のリール３Ａに二周巻き掛けられ、当該第１のリール３Ａを出たガイド用コード２は、中央の第２のリール３Ｂの下側から入って当該第２のリール３Ｂに二周巻き掛けられ、当該第２のリール３Ｂを出たガイド用コード２は最も後側（図２右側）の第３のリール３Ｃの下側から入って当該第３のリール３Ｃに二周巻き掛けられ後方へ出される。
【００２１】
このように、第１〜第３のリール３Ａ〜３Ｃは、一方側（前側）から導入され当該リール３に順次巻き掛けられたガイド用のコード２を、当該リール３の回転力で他方側（後側）へ繰り出すように、ガイド用のコード２の移送方向に沿って一列に配置されている。なお、本実施形態のガイド用のコード２の掛け方は、一例を示したものであり、リール３へ三周、或いはそれ以上で巻き掛けることや、リール３へ異なる周回で巻き掛けることや、リール３へ導入されるガイド用のコード２を当該リール３の上側から入るようにする等、他の掛け方を採用することもできる。また、リール３へ掛けるガイド用のコード２は一本に限られず、二本或いはそれ以上の本数でもよい。
【００２２】
図３に示すように、第１〜第３のリール３Ａ〜３Ｃを上方から覆う安全カバー１０（カバー部材）が設けられている（図１では、安全カバー１０の図示を省略している）。この安全カバー１０はアクリル樹脂製であり、当該安全カバー１０で覆った際にも覆われた部材等を目視で確認できるようになっている。
【００２３】
安全カバー１０は、板状に形成された左側板１１と、この左側板１１に取り付けられた略Ｌ字状の可動部１２とで構成されている。可動部１２は、板状に形成されて第１〜第３のリール３Ａ〜３Ｃの上方を覆う上板１２ａと、この上板１２ａの右端部から第１〜第３のリール３Ａ〜３Ｃの下側まで延びる右側板１２ｂとで構成されている。
【００２４】
左側板１１は、筒体部７の各フランジ部１３の内側で基台６上に起立した状態で固定されている。左側板１１の上端部に、上板１２ａの左端部が三つの蝶番１４を介して取り付けられており、この上板１２ａの右端部に右側板１２ｂの上端部が固定されている。従って、基台６に固定された左側板１１に対して、上板１２ａと右側板１２ｂからなる可動部１２が左側方へ回動可能となっている。可動部１２が回動した状態を図３の想像線で示す。図示のように可動部１２を左側方へ回動させれば、第１〜第３のリール３Ａ〜３Ｃは露出状態となる。
【００２５】
第１〜第３のリール３Ａ〜３Ｃへガイド用のコード２を掛ける際には可動部１２を左側方へ回動させ、掛け終わったら、可動部１２を元の位置まで回動させて当該第１〜第３のリール３Ａ〜３Ｃを覆っておけばよい。これにより、第１〜第３のリール３Ａ〜３Ｃが回転しているときは可動部１２が覆っているので安全であり、ガイド用のコード２を掛ける際には当該第１〜第３のリール３Ａ〜３Ｃが露出状態となるので作業を行い易い。
【００２６】
次に、上記の繰り出し装置１を使用してケーブルを地下管路に布設する布設方法を図４及び図５を参照して説明する。図４に示すように、両端に第１、第２のマンホール開口部１７、１８を有する地下管路１６が地下２０に形成されている。引き入れ側の第１のマンホール開口部１７の近くには、ケーブル１５が巻かれた送り出し機２１が置かれている。引き出し側の第２のマンホール開口部１８の近くには、上記繰り出し装置１が置かれている。
【００２７】
第１のマンホール開口部１７と第２のマンホール開口部１８との間にガイド用のコード２を通し、このガイド用コード２の後端部２ａ（図４左側）をケーブル１５の前端部１５ａに連結する。図５にも示すように、地下管路１６の二つの底角部２３、２３と、第１、第２のマンホール開口部１７、１８には、それぞれ滑車２４が設けられており、ガイド用のコード２がこれらの滑車２４に掛けられた状態となっている。これら滑車２４の存在により、ガイド用のコード２や布設されるケーブル１５が地下管路１６に干渉せず、それらの損傷を防止することができる。
【００２８】
ガイド用のコード２の前端部２ｂ（図４右側）寄りの部分を、可動部１２が上げられた上記繰り出し装置１の第１〜第３のリール３Ａ〜３Ｃへ図２に示すように巻き掛けて、当該前端部２ｂを繰り出し装置１の前方へ出しておく。そして、可動部１２を下げて第１〜第３のリール３Ａ〜３Ｃを覆う。
【００２９】
なお、ガイド用のコード２の前端部２ｂ寄りの部分を、繰り出し装置１の第１〜第３のリール３Ａ〜３Ｃへ巻き掛けてから、第１のマンホール開口部１７と第２のマンホール開口部１８との間にガイド用のコード２を通し、このガイド用のコード２の後端部２ａをケーブル１５の前端部１５ａに連結してもよい。
【００３０】
繰り出し装置１の各操作レバー８を操作して、ガイド用のコード２が所要の速度で引き出されるような速度を選択しておく。繰り出し装置１の各オンスイッチ９Ａを押して、第１、第２、及び第３の三つの個別モータ４Ａ〜４Ｃを駆動させ、第１〜第３のリール３Ａ〜３Ｃを回転させる。それと同時に、繰り出し装置１の前方へ出されていくガイド用のコード２を、他に設置しておいた巻き取り機等に巻き取っていく。
【００３１】
これにより、地下管路１６に通されているガイド用のコード２が、第２のマンホール開口１８から引き出されていき、それに伴い第１のマンホール開口１７の近くに置かれた送り出し機に巻かれていたケーブル１５が、当該地下管路１６に引き入れられていく。ガイド用のコード２の後端部２ａ、即ちケーブル１５の前端部１５ａが第２のマンホール開口１８に出てくるまで引き出す。これにより、ケーブル１５が地下管路１６の全体に渡って通され、当該ケーブル１５の布設が完了する。
【００３２】
上記本実施形態の繰り出し装置１によれば、一列に配置された第１〜第３のリール３Ａ〜３Ｃによって一方側から導入されたガイド用のコード２が当該第１〜第３のリール３Ａ〜３Ｃの回転力で他方側へ繰り出されるので、いかに長いガイド用コードでも引き出していくことができる。従って、地下管路１６に布設するためのケーブル１５の長さに応じて、複数の装置を使い分ける必要がない。また、従来の巻き取り装置のように巻き取ることで次第に巻き取り径が大きくなってしまうということがないので、ケーブル１５の引き出し速度を安定させることができる。
【００３３】
更に、第１〜第３のリール３Ａ〜３Ｃがガイド用のコード２の移送方向に沿って一列に配置されているので、ガイド用のコード２をスリップさせずに確実に繰り出すことができる。これにより、ガイド用コード２の微妙な繰り出し速度の調整が可能となる。また、繰り出していく際にガイド用のコード２が一方側（第２のマンホール開口１８側）に引っ張られた場合でも、当該ガイド用のコード２の引き戻しを防止することができる。
【００３４】
なお、上記実施形態は例示であり、制限的なものではない。例えば、制御部を第１〜第３の個別モータが一括して制御されるように構成することで、当該第１〜第３の個別モータが同時に駆動させられ、単一の操作により第１〜第３のリールを互いに連携させて回転させることができる。また、上記実施形態では、三つのリールを設けた例を示したが、リールを設ける数は、二つ、或いは四つ以上でもよく、ガイド用コードを引き出すのに要する力によって適宜変更することができる。
【００３５】
例えば、一つのリール及びこれに対応する駆動モータ等が、１トンの力でコード等を繰り出すことができるように構成されている場合、二つのリールで２トン、三つのリールで３トン、四つのリールで４トン、・・・・というように、コード等を繰り出すために必要な力に応じてリールの数を変更すればよい。また、一つのリール及びこれに対応する駆動モータ等が、１トン以上の力でコード等を繰り出すことができるように構成されている場合、リールの数を二つ、三つ、四つ、・・・と増やしていけば、それに応じた力でコード等を繰り出すことができる。
【００３６】
また、上記実施形態では、第１、第２、及び第３のリールは、それぞれ対応する操作レバーを操作することで、低速、中速、高速の三つの回転速度での切換が可能となっているが、例えばインバータ装置を設けることで、各リールの速度を細かく調節できるようにしてもよい。
【００３７】
また、リールの径寸法、形状等は、適宜変更することができ、複数のリールを駆動させる駆動モータ（個別モータ）や減速機等の構成はどのようなものでもよく、要は一列に並べられた複数のリールを所要の速度で繰り出せるようになっていればよい。更に、本発明に係る繰り出し装置は、ケーブルを布設するためだけでなく、他の各種作業工程に適用することができる。
【産業上の利用可能性】
【００３８】
本発明は、例えば地下管路に通されたガイド用のコードを地上に引き出すための繰り出し装置に適用することができる。
【図面の簡単な説明】
【００３９】
【図１】本発明に係る繰り出し装置の一実施形態を示す斜視図である。
【図２】（ａ）は図１のＡ−Ａ線断面図であり、（ｂ）は第１〜第３のリールの平面図である。
【図３】安全カバーが設けられた繰り出し装置の斜視図である。
【図４】ケーブルの布設方法を説明するための地下断面図である。
【図５】地下管路の底角部に滑車が設けられている状態を示す地下断面図である。
【符号の説明】
【００４０】
１    繰り出し装置
２    ガイド用のコード（コード）
３Ａ〜３Ｃ  第１〜第３のリール
４Ａ〜４Ｃ  個別モータ
１０  安全カバー（カバー部材）
１５  ケーブル
１６  地下管路
１７  第１のマンホール開口
１８  第２のマンホール開口
【図１】
0004746605.tif 000002
【図２】
0004746605.tif 000003
【図３】
0004746605.tif 000004
【図４】
0004746605.tif 000005
【図５】
0004746605.tif 000006